(57)【要約】      （修正有）【課題】電源側と電気機器側とを接続するための長さと一対の電源ラインとアースラインとを備えた３芯の電源コードを提供する。【解決手段】一端を電源側Ａに他端を電気機器側Ｂに接続する一対の電源ライン２，２とアースライン３とを備え、一対の電源ライン２，２とアースライン３とは夫々絶縁内層被覆層２ａ，２ａ，３ａで被覆され、該夫々絶縁内層被覆層２ａ，２ａ，３ａを絶縁外層被覆層４で被覆された３芯の電源コード１において、アースライン３の断面積を夫々の電源ライン２，２の断面積より小さくした構造としたものであり、更に、アースライン３の断面積を前記電源ライン２，２の断面積の１／２以下とした構造としたものである。【選択図】図１
0003143099.tif 000002
【実用新案登録請求の範囲】
【請求項１】
一端を電源側に接続し他端を電気機器側に接続するための長さを有し一対の電源ラインとアースラインとを備え、該一対の電源ラインとアースラインとは夫々絶縁内層被覆層で被覆され、該夫々絶縁内層被覆層を絶縁外層被覆層で被覆された電源コードにおいて、前記アースラインの断面積を夫々の電源ラインの断面積より小さくした構造としたことを特徴とする３芯の電源コード。
【請求項２】
前記アースラインの断面積を前記電源ラインの断面積の１／２以下とした構造としたことを特徴とする請求項１に記載の３芯の電源コード。
【考案の詳細な説明】
【技術分野】
【０００１】
本考案は、パーソナルコンピューター等の電気機器の３芯の電源コードに関するものであり、更に詳細には、電源側と電気機器側とを接続するための長さと一対の電源ラインとアースラインとを備えた３芯の電源コードに関するものである。
【背景技術】
【０００２】
従来、３芯の電源コードはパーソナルコンピューター等の電気機器において汎用されており、一対の電源ラインとアースラインとが長手方向に並設されているものであるが、３芯の夫々のラインは同じ断面積を有しており、例えば、２．０ｍｍ２ （１５Ａ定挌）の断面積を有しているものである。
【０００３】
然し乍ら、近年、世界的な銅の値上がりからこの種の３芯の電源コードも徐々にコストが上昇している現状であり、これらの電源コードを用いた電気機器も高騰する一つの要因にもなるものである。
【０００４】
例えば、先に開示された、高強度張力体の周囲に銅線又は銅合金線が配置されてなる導体周上に厚さ０．２５ｍｍ以下の薄肉絶縁被覆が施された極細電線を、該極細電線の破断強度に相当する破断強度を備えた軟銅被覆電線の外径に適合する圧着端子とかしめ接続する極細電線の端末構造であって、該極細電線の端末部において絶縁被覆をストリップすることによって露出した導体には導電性を有する補強材を被覆し、絶縁被覆末端にはスペーサを密着状態で被覆し、その状態で前記圧着端子とかしめ接続するようにしたもの（特許文献１参照）、が開示されている。
【特許文献１】特開２０００−２６８６４２号公報
【考案の開示】
【考案が解決しようとする課題】
【０００５】
然し乍ら、特許文献１記載のものは、極細電線の破断強度に相当する破断強度を備えた軟銅被覆電線の外径に適合する圧着端子とかしめ接続する極細電線の端末構造のものであって３芯の電源コードで無く、極細電線に関するものであるが、コストダウンに繋がるものでは無く、また、信号線に用いられるような多芯ケーブルおいては、夫々の芯径がまちまちでアースラインを細線化したものは具現しているが、３芯の電源コードにおいては実施されていないのが実情である。
【課題を解決するための手段】
【０００６】
前記課題に鑑み、鋭意研鑽の結果、一端を電源側に接続し他端を電気機器側に接続するための長さを有し一対の電源ラインとアースラインとを備え、一対の電源ラインとアースラインとは絶縁内層被覆層で被覆され、絶縁内層被覆層を絶縁外層被覆層で被覆された３芯の電源コードにおいて、アースラインの断面積を電源ラインの断面積より小さくした構造としたものであり、更に、アースラインの断面積を電源ラインの断面積の１／２以下とした構造としたものである。
【考案の効果】
【０００７】
本考案は、一端を電源側に接続し他端を電気機器側に接続するための長さを有し一対の電源ラインとアースラインとを備えた３芯の電源コードにおいて、通常電流の流れていないアースラインの断面積を使用に問題が発生しない程度に夫々の電源ラインの断面積より小さくしたことにより、銅の使用量が大幅に抑えることを可能とし、全世界的に高騰する銅を用いた３芯の電源コードのコストダウンに繋がるものであり、極めて有効的で実用性の高い考案である。
【考案を実施するための最良の形態】
【０００８】
以下、本考案の３芯の電源コードの実施例の図面を用いて詳細に説明すると、図１は本考案の３芯の電源コードの実施例の平面図であり、図２は本考案の３芯の電源コードの実施例の要部端面図である。
【０００９】
本考案は、３芯の電源コード１に関するものであり、更に詳細には、電源側Ａと電気機器側Ｂとを接続するための、一対の電源ライン２．２とアースライン３とを備えた３芯の電源コード１に関するものであり、請求項１に記載の３芯の電源コードは、一端を電源側Ａに接続し他端を電気機器側Ｂに接続するための長さを有し一対の電源ライン２．２とアースライン３とを備え、該一対の電源ライン２．２とアースライン３とは夫々絶縁内層被覆層２ａ．２ａ．３ａで被覆され、該夫々絶縁内層被覆層２ａ．２ａ．３ａを絶縁外層被覆層４で被覆された３芯の電源コード１において、前記アースライン３の断面積を夫々の電源ライン２．２の断面積より小さくした構造としたことを特徴とするものである。
【００１０】
更に、請求項２に記載の３芯の電源コードは、請求項１に記載の３芯の電源コードにおいて、前記アースライン３の断面積を前記電源ライン２．２の断面積の１／２以下とした構造としたことを特徴とするものである。
【実施例】
【００１１】
即ち、本考案の３芯の電源コード１は、一端を商業電源へのプラグや、図１に図示するように、商業電源からのプラグを差し込むテーブルタップ等の電源側Ａに接続し、他端をパーソナルコンピュータ等の電気機器側Ｂに接続するためのプラグを備え、接続するのに充分な長さを有しているものである。
【００１２】
そして、長さ方向に並設して一対の電源ライン２．２とアースライン３とを備えている３芯の電源コード１であり、一対の電源ライン２．２には使用中に電流が流れているが、アースライン３には電流は流れていないものである。
【００１３】
次いで、一対の電源ライン２．２とアースライン３とは夫々絶縁内層被覆層２ａ．２ａ．３ａで被覆され相互に短絡しないように絶縁状態を維持されているものである。
【００１４】
更に、夫々絶縁内層被覆層２ａ．２ａ．３ａは、３芯の電源コード１の表面を含む絶縁外層被覆層４で被覆されているものである。
【００１５】
次に、アースライン３の断面積を夫々の電源ライン２．２の断面積より小さくした構造としたものである。
【００１６】
更には、アースライン３の断面積を電源ライン２．２の断面積の１／２以下としたものであり、実施例では夫々の電源ライン２．２の断面積は、２ｍｍ２  に対して、アースライン３の断面積を０．７５ｍｍ２  にしたもので、電気機器に実装して各種のパターンでテストを繰り返したが、使用に関しては何ら問題は発生しないものである。
【産業上の利用可能性】
【００１７】
本考案は、一端を電源側に接続し他端側を電気機器に接続するための長さを有し一対の電源ラインとアースラインとを備えた３芯の電源コードにおいて、通常電流の流れていないアースラインの断面積を使用に問題が発生しない程度に夫々の電源ラインの断面積より小さくしたことにより、銅の使用量が大幅に抑えることを可能としコストダウンに繋がる３芯の電源コードの提供するものである。
【図面の簡単な説明】
【００１８】
【図１】図１は本考案の３芯の電源コードの実施例の平面図である。
【図２】図２は本考案の３芯の電源コードの実施例の要部端面図である。
【符号の説明】
【００１９】
Ａ      電源側
Ｂ      電気機器側
１      ３芯の電源コード
２      電源ライン
２ａ    絶縁内層被覆層
３      アースライン
３ａ    絶縁内層被覆層
４      絶縁外層被覆層
【図１】
0003143099.tif 000003
【図２】
0003143099.tif 000004